(57)【特許請求の範囲】
【請求項１】
塵芥収集車の塵芥収容箱に連設され、塵芥投入口から投入された塵芥を該塵芥収容箱に押し込む塵芥積込装置が内蔵された塵芥収集車の塵芥投入箱において、
上記塵芥投入口の上縁部には、該塵芥投入口を照らす作業灯が設けられており、該作業灯の少なくとも一部は、上記上縁部に埋め込まれ、
上記塵芥投入口は、上記上縁部の裏側に沿って上下にスライド移動可能な開閉扉で開閉可能に構成されており、
上記作業灯は、上記開閉扉を閉じたときに、該開閉扉に設けた取っ手の真上以外の位置に設けられている
ことを特徴とする塵芥収集車の塵芥投入箱。
【請求項２】
請求項１に記載の塵芥収集車の塵芥投入箱において、
上記塵芥投入口の奥側には、上記塵芥投入箱の左右側壁を繋ぐクロスバーが設けられ、
上記クロスバーには、上記塵芥投入口の奥側を照らす内部作業灯が設けられている
ことを特徴とする塵芥収集車の塵芥投入箱。
【請求項３】
請求項１又は２に記載の塵芥収集車の塵芥投入箱において、
上記作業灯は、ＬＥＤ光源を備え、光軸を変更可能に構成されている
ことを特徴とする塵芥収集車の塵芥投入箱。
【発明の詳細な説明】
【技術分野】
【０００１】
本発明は、塵芥収集車の塵芥収容箱に連設され、塵芥投入口から投入された塵芥を、この塵芥収容箱に押し込む塵芥積込装置が内蔵された塵芥収集車の塵芥投入箱に関し、特にその塵芥投入口を照らす作業灯に関する。
【背景技術】
【０００２】
従来より、例えば特許文献１に示すように、塵芥投入箱における、塵芥投入口を開閉する後部扉の下端や塵芥投入口の奥側の内部空間に作業灯を設けることが知られている。これにより、作業者等に注意喚起するようにしている。
【０００３】
また、特許文献２のように塵芥投入口の上方に開閉可能なルーフカバーを設けて内部の点検等をしやすくするものが知られている。このルーフカバーは、軽量化、成形容易性等のために樹脂成形品で構成されており、裏側で金属製の枠状の補強フレームによって補強されている。
【先行技術文献】
【特許文献】
【０００４】
【特許文献１】特開２０１４−１９８６１４号公報
【特許文献２】特開２００８−２８５３１６号公報
【発明の概要】
【発明が解決しようとする課題】
【０００５】
しかしながら、従来の塵芥投入箱のように、作業灯を後部扉に設けると、後部扉がスライド移動されるたびに衝撃を受ける上に、塵芥投入時にも損傷しやすいという問題がある。また、作業灯の分だけ後部扉が重くなり、開閉作業が大変になる。また、特許文献１では、内部空間に作業灯を設けると記載されているが、具体的な固定方法は記載されていない。
【０００６】
さらに特許文献２のようなルーフカバーを設けるものでは、ルーフカバー自体が樹脂成形品であるため作業灯を取り付けるのには強度が十分ではなく、上記補強フレームで支持するとなると取付位置が限定され、塵芥投入口を照らし辛いという問題がある。
【０００７】
また、従来、作業灯を後部扉に設ける場合、後部扉から作業灯が突出した状態に取り付けられていたので、後付け感があって見映えが悪かった。
【０００８】
また、従来、作業灯を塵芥投入箱の側面に設けた取付ブラケットを介して取り付ける場合もあったが、この場合も塵芥投入箱の側面から作業灯が突出し、後付け感があって見映えが悪かった。
【０００９】
本発明は、かかる点に鑑みてなされたものであり、その目的とするところは、作業灯について塵芥投入口及びその近傍を効果的に照らすと共に見映えのよいものにすることにある。
【課題を解決するための手段】
【００１０】
上記の目的を達成するために、この発明では、作業灯を塵芥投入口上縁に埋め込むようにした。
【００１１】
具体的には、第１の発明では、塵芥収集車の塵芥収容箱に連設され、塵芥投入口から投入された塵芥を該塵芥収容箱に押し込む塵芥積込装置が内蔵された塵芥収集車の塵芥投入箱を前提とする。
【００１２】
そして、上記塵芥投入口の上縁部には、該塵芥投入口を照らす作業灯が設けられており、該作業灯の少なくとも一部は、上記上縁部に埋め込まれている。
【００１３】
上記の構成によると、作業灯は、塵芥投入口の上縁部に埋め込まれているので、見映えがよい上に、塵芥投入口及びその近傍が効果的に照らされる。
【００１４】
第２の発明は、第１の発明において、
上記塵芥投入口は、上記上縁部裏側に沿って上下にスライド移動可能な開閉扉で開閉可能に構成されており、
上記作業灯は、上記開閉扉を閉じたときに、該開閉扉に設けた取っ手の真上以外の位置に設けられている。
【００１５】
上記の構成によると、開閉扉を全開にしたときに、取っ手が作業灯の真下に来ない。即ち、作業灯の光軸上に取っ手が来ないので、作業灯の光が取っ手で遮られるために暗くなるということはなく、また、開閉時に作業灯に手が当たることもない。
【００１６】
第３の発明は、第１又は第２の発明において、
上記塵芥投入口の奥側には、上記塵芥投入箱の左右側壁を繋ぐクロスバーが設けられ、
上記クロスバーには、上記塵芥投入口の奥側を照らす内部作業灯が設けられている。
【００１７】
上記の構成によると、塵芥投入口の奥側をより効果的に照らすことができる。また、内部作業灯は塵芥投入口の奥側のクロスバーに設けられるので、外観に現れず、見映えがよく、また、剛性の高いクロスバーに設けられるので、がたつかない上に、塵芥投入時に接触しにくい。
【００１８】
第４の発明は、第１から第３のいずれか１つの発明において、
上記作業灯は、ＬＥＤ光源を備え、光軸を変更可能に構成されている。
【００１９】
上記の構成によると、ＬＥＤ光源なので、作業灯を小型にできるため、見映えがよい上に設置スペースが小さくて済む。また、光軸を自由に変更できるので、作業者の好みの位置を照らすことができる。
【発明の効果】
【００２０】
以上説明したように、本発明によれば、塵芥投入口の上縁部に塵芥投入口を照らす作業灯を、その少なくとも一部が埋め込まれるように設けたことにより、作業灯について塵芥投入口及びその近傍を効果的に照らすと共に見映えのよいものにすることができる。
【図面の簡単な説明】
【００２１】
【図１Ａ】本発明の実施形態に係る右側の作業灯及びその周辺を拡大して示す背面図である。
【図１Ｂ】図１ＡのIB−IB線拡大断面図である。
【図２】本発明の実施形態に係る塵芥収集車を示す側面図である。
【図３】塵芥収集車を示す背面図である。
【図４】塵芥投入車の後部側を示す平面図である。
【図５Ａ】左右一対の内部作業灯及びその周辺を拡大して示す正面図である。
【図５Ｂ】左右一対の内部作業灯及びその周辺を拡大して示す側面図である。
【発明を実施するための形態】
【００２２】
以下、本発明の実施形態を図面に基づいて説明する。
【００２３】
図２及び図３は、本発明の実施形態の塵芥投入箱５を備えた塵芥収集車１を示す（図３では塵芥投入箱５より下部を省略している）。この塵芥収集車１は、走行可能な車台２を備え、この車台２には、運転室３と、塵芥収容箱４とが搭載され、その塵芥収容箱４の後方に塵芥投入箱５が連設されている。
【００２４】
詳しくは図示しないが、塵芥投入箱５は、塵芥収容箱４の上端に設けた回動軸を中心に回動シリンダを伸縮させることで、塵芥収容箱４の後方開口を開閉可能となっている。この塵芥投入箱５の内部には、後方に設けた塵芥投入口６から投入された塵芥を塵芥収容箱４に押し込む塵芥積込装置が内蔵されている。例えば、摺動板を上下に摺動し、圧縮板を前後に揺動するプレス式の塵芥積込装置でもよいし、回転板式や遊星歯車式の塵芥積込装置であってもよい。塵芥投入箱５は、塵芥投入口６の上縁部裏側に沿って上下にスライド移動可能な開閉扉７で覆われている。開閉扉７の下端には、例えば左右に間隔を空けて一対の取っ手７ａが設けられている。
【００２５】
回動シリンダ等のある左右側壁５ａの車幅方向外側部分は、図２〜図４に示すように、車幅方向両外側に設けたヒンジ部を中心に開閉可能なサイドカバー８で覆われて見映えがよくなっている。具体的には、このサイドカバー８は、例えば、樹脂成形品で形成されており、塵芥投入箱５の左右側壁５ａに上下に間隔を空けて設けた複数のヒンジ部を中心に開閉可能となっている。そして、塵芥投入口６の上方には、車幅方向に延びる揺動軸（図示せず）を中心に開閉可能なルーフカバー９が設けられている。
【００２６】
図１Ａ及び図１Ｂに示すように、ルーフカバー９の下方の、塵芥投入口６の上縁部には、塵芥投入口６を照らす作業灯１０が設けられている。具体的には、塵芥投入口６の上縁部を構成する車幅方向に伸び、左右側壁５ａを繋ぐ金属板製の後面スペース部材５ｂには、例えば矩形状の切欠部５ｃが設けられており、この切欠部５ｃに作業灯１０の少なくとも一部が埋め込まれている。作業灯１０は、図１Ａ、図１Ｂ及び図３に示すように、ランプ本体１０ａと、光源部１０ｂと、取付ブラケット１０ｃとを備え、この取付ブラケット１０ｃが後面スペース部材５ｂの裏面に設けたアングル１０ｄに固定されている。ランプ本体１０ａは、取付ブラケット１０ｃに対して揺動自在に取り付けられている。詳しくは図示しないが、例えば光源部１０ｂに到る電線は、後面スペース部材５ｂ裏面に沿って固定されている。光源部１０ｂは、ＬＥＤ光源で構成されており、少なくともこの光源部１０ｂが切欠部５ｃから露出している。
【００２７】
また、図３に示すように、作業灯１０は、開閉扉７に設けた取っ手７ａのない位置、即ち、取っ手７ａの真上以外の位置に設けられている。開閉扉７の全開時、開閉扉７は後面スペース部材５ｂ及びルーフカバー９の裏側にほぼ収納されるが、取っ手７ａを含む開閉扉７の下端部は全開時においても塵芥投入口６の上縁部より下方に露出した状態が維持される。これにより、作業灯１０と取っ手７ａとの距離は開閉扉７の全閉時よりも近付いた状態になる。仮に、作業灯が取っ手の真上の位置に設けられていると、開閉扉の全開時、取っ手は作業灯に近付いた状態で作業灯の光を遮ってしまうが、本実施形態ではそのようなことがない。
【００２８】
なお、樹脂成形品と比較して剛性のある後面スペース部材５ｂには、ナンバープレート２０、バックアイカメラ２１、作業中表示灯２２などが取り付けられていてもよい。ルーフカバー９の下端中央には、ハイマウントストップランプ２３が取り付けられていてもよい。なお、図４では、ナンバープレート２０は省略している。
【００２９】
このように、作業灯１０は、塵芥投入口６の上縁部に埋め込まれているので、見映えがよい上に、塵芥投入口６及びその近傍が効果的に照らされる。
【００３０】
また、作業灯１０は、ＬＥＤ光源を有するので、小型にできる。このため、見映えがよい上に設置スペースが小さくて済む。また、光軸を自由に変更できるので、作業者の好みの位置を照らすことができる。
【００３１】
また、開閉扉７を全開にしたときに、取っ手７ａが作業灯１０の真下に来ない。即ち、作業灯１０の光軸上に取っ手７ａが来ないので、作業灯１０の光が取っ手７ａで遮られるために暗くなるということはなく、また、開閉時に作業灯１０に手が当たることはない。
【００３２】
次に、本実施形態では、上述の作業灯１０の他にも追加で作業灯を設けている。
【００３３】
具体的に説明すると、図５Ａ及び図５Ｂに示すように、塵芥投入口６の奥側には、塵芥投入箱５の左右側壁５ａを繋ぐクロスバー５ｄが設けられ、このクロスバー５ｄには、塵芥投入口６の奥側を照らす内部作業灯１１０が設けられている。クロスバー５ｄは、従来より剛性部材として設けられているものである。
【００３４】
内部作業灯１１０は、例えば、左右に間隔を空けて一対設けているが、３つ以上でもよく、中央に１つ設けてもよい。
【００３５】
内部作業灯１１０は、クロスバー５ｄに溶接された細長金属片からなる取付ブラケット１１０ｃに、ボルト等で取り付けられている。
【００３６】
このように、内部作業灯１１０により塵芥投入口６の奥側を照らすので、作業灯１０のみと比較して広範囲に渡って明るく照らすことができ、作業性及び安全性がさらに向上する。
【００３７】
内部作業灯１１０が塵芥投入口６奥側のクロスバー５ｄに設けられるので、外観に現れず、見映えがよい。また、内部作業灯１１０が剛性の高いクロスバー５ｄに設けられるので、がたつかない上に、塵芥積込装置と干渉せず、また塵芥投入時に塵芥等が接触しにくい。なお、この内部作業灯１１０は必ずしも設けなくてもよい。
【００３８】
以上説明したように、本実施形態に係る塵芥投入箱５によれば、塵芥投入口６及びその近傍を効果的に照らすと共に見映えのよい作業灯１０、内部作業灯１１０が得られる。
【００３９】
なお、以上の実施形態は、本質的に好ましい例示であって、本発明、その適用物や用途の範囲を制限することを意図するものではない。
【符号の説明】
【００４０】
１      塵芥収集車
２      車台
３      運転室
４      塵芥収容箱
５      塵芥投入箱
５ａ    左右側壁
５ｂ    後面スペース部材
５ｃ    切欠部
５ｄ    クロスバー
６      塵芥投入口
７      開閉扉
７ａ    取っ手
８      サイドカバー
９      ルーフカバー
１０      作業灯
１０ａ，１１０ａ    ランプ本体
１０ｂ    光源部
１１０    内部作業灯
１０ｃ，１１０ｃ    取付ブラケット
１０ｄ    アングル
２０      ナンバープレート
２１      バックアイカメラ
２２      作業中表示灯
２３      ハイマウントストップランプ
【図１Ａ】
0006420277.tif 000002
【図１Ｂ】
0006420277.tif 000003
【図２】
0006420277.tif 000004
【図３】
0006420277.tif 000005
【図４】
0006420277.tif 000006
【図５Ａ】
0006420277.tif 000007
【図５Ｂ】
0006420277.tif 000008